(57)【要約】【課題】  簡単な構造で見る方向によって異なる図柄を表出することができる図柄表示具およびその製造方法並びにそれを用いた図柄表示装置を提供することである。【解決手段】  図柄を第１素材画像１０および第２素材画像２０で構成し、表示具本体３１の波面３２の各山３２ａを一方向から見たときに見える側の各山３２ａの一方の斜面を連続させたものに第１素材画像１０を表し、波面３２の各山３２ａを他方向から見たときに見える側の各山３２ａの他方の斜面を連続させたものに第２素材画像２０を表した図柄表示具３０である。また、図柄表示具３０を光透過性の表示具本体３１の波面３２が外面になるように光源を備えた柱状体の側面に貼り付けた図柄表示装置である。さらに、波面３２に第１素材画像１０および第２素材画像２０をインクジェットプリンタ等で表すことである。【選択図】        図３
2005208119.tif 000002
【特許請求の範囲】
【請求項１】
図柄を第１素材画像および第２素材画像で構成し、
表示具本体の波面の各山を一方向から見たときに見える側の各山の一方の斜面を連続させたものに前記第１素材画像を表し、
前記波面の各山を他方向から見たときに見える側の各山の他方の斜面を連続させたものに前記第２素材画像を表したことを特徴とする図柄表示具。
【請求項２】
請求項１記載の図柄表示具であって、
前記表示具本体の波面が片面ダンボールの波面であることを特徴とする図柄表示具。
【請求項３】
請求項１または２に記載した図柄表示具の表示具本体を光透過性のものにし、前記表示具本体の波面が外面になるように光源を備えた物に貼り付けたことを特徴とする図柄表示装置。
【請求項４】
請求項１または２に記載した図柄表示具を前記表示具本体の波面が外面になるように無端帯状体状に形成し、この図柄表示具を無限軌道状に駆動する駆動手段を設けたことを特徴とする図柄表示装置。
【請求項５】
請求項１または２記載の図柄表示具の製造方法であって、前記表示具本体の波面に前記第１素材画像および第２素材画像をインクジェットプリンタ等で表すことを特徴とする図柄表示具の製造方法。
【発明の詳細な説明】
【技術分野】
【０００１】
本発明は、図柄表示具およびこれを用いた図柄表示装置並びに図柄表示具の製造方法に関するものであり、特に、簡単な構造で見る方向により異なる図柄を表出することができる図柄表示具およびこれを用いた図柄表示装置並びに図柄表示具の製造方法に関するものである。
【背景技術】
【０００２】
従来、図柄表示具にて、そこに表示された図柄を見る方向により変えるためにレンチキュラーレンズを使用したものがある（例えば特許文献１）。
この場合、図柄を表示するシートをレンチキュラーレンズの裏面に接着し、この図柄をレンチキュラーレンズの表側から見るようにしている。
【特許文献１】特開２００２−２５０９７９公報
【発明の開示】
【発明が解決しようとする課題】
【０００３】
しかし、上述のレンチキュラーレンズを使用した図柄表示装置では、レンチキュラーレンズを使用しているので、その構造が複雑になるため、その製造工程も複雑になるという問題がある。
本発明はこのような点に鑑みてなされたものであり、その課題は、簡単な構造で異なる図柄を見る方向によってそれぞれ表出することができる図柄表示具およびこれを用いた図柄表示装置並びに図柄表示具の製造方法を提供することである。
【課題を解決するための手段】
【０００４】
上記課題を解決するため、請求項１記載の発明は、図柄を第１素材画像および第２素材画像で構成し、表示具本体の波面の各山を一方向から見たときに見える側の各山の一方の斜面を連続させたものに前記第１素材画像を表し、前記波面の各山を他方向から見たときに見える側の各山の他方の斜面を連続させたものに前記第２素材画像を表したことを特徴とする図柄表示具である。
これにより、表示具本体の波面を見る方向を前記一方向から前記他方向に順に変えることにより、図柄の第１素材画像および第２素材画像を順に見ることができる。
【０００５】
さらに、請求項２記載の発明は、請求項１記載の発明において、前記表示具本体の波面が片面ダンボールの波面であることである。
これにより、片面ダンボールによって表示具本体を容易に構成することができる。
【０００６】
さらに、請求項３記載の発明は、請求項１または２に記載した図柄表示具の表示具本体を光透過性のものにし、前記表示具本体の波面が外面になるように光源を備えた物（例えば柱状体）に貼り付けたことを特徴とする図柄表示装置である。
これにより、請求項１または２に記載した図柄表示具を前記波面が外面になるように光源を備えた物に貼り付けて図柄表示装置を構成しているので、前記柱状体の周りの人が移動すると、この人が図柄表示装置を見る方向が変わるので、図柄表示装置の第１素材画像および第２素材画像を順に見ることができる。さらに、柱状体が発光源となり、光透過性の表示具本体をこの発光源から出る光が透過するので、図柄表示装置が内部光源を有することになる。
【０００７】
さらに、請求項４記載の発明は、請求項１または２に記載した図柄表示具を前記表示具本体の波面が外面になるように無端帯状体状に形成し、この図柄表示具を無限軌道状に駆動する駆動手段を設けたことを特徴とする図柄表示装置である。
これにより、前記無端帯状体が無限軌道状に駆動されて移動すると、人が図柄表示装置の各部分を見る方向が変化するので、図柄表示装置の第１素材画像および第２素材画像を順に見ることができる。
【０００８】
さらに、請求項５記載の発明は、請求項１または２に記載した図柄表示具を製造する方法において、前記表示具本体の波面に前記第１素材画像および第２素材画像をインクジェットプリンタ等で表す（印字を含む。）ことである。
これにより、インクジェットプリンタ等で前記第１素材画像および第２素材画像を前記表示具本体の波面に直接表すことが容易になる。
【発明の効果】
【０００９】
請求項１記載の発明によれば、簡単な構造の図柄表示具を見る方向を順に変えると前記２つの素材画像を順に見ることができる。
さらに、請求項２記載の発明によれば、請求項１記載の発明の効果とともに、請求項１記載の図柄表示具を容易に構成することができる。
さらに、請求項３記載の発明によれば、請求項１または２記載の図柄表示具を使用した簡単な構造の発光源を備えた図柄表示装置を得ることができる。
さらに、請求項４記載の発明によっても、請求項１または２記載の図柄表示具を使用した図柄表示装置を得ることができる。
さらに、請求項５記載の発明により、請求項１または２記載の図柄表示具を製造することが容易になる。
【発明を実施するための最良の形態】
【００１０】
以下、本発明における実施の形態を図面に基づいて説明する。
図１は、本発明の実施の形態に係る図柄表示具を製造する装置のブロック図である。図２は、前記図柄表示具を製造する方法のフローチャートであり、図３は、前記図柄表示具を製造する方法を示す説明図である。図４は、前記図柄表示具を看板に使用した場合の説明図であり、図５は、前記図柄表示具を使用した図柄表示装置の一例であり、図６は、前記図柄表示具を使用した図柄表示装置の他の例である。
【００１１】
図３に示すように、本発明の実施の形態に係る図柄表示具３０は、図柄を第１素材画像１０および第２素材画像２０で構成し、片面ダンボール製の表示具本体３１の波面３２の各山３２ａを一方向から見たときに見える側の各山の一方の斜面（山３２ａの図示右側の斜面）を連続させたものに第１素材画像１０を表し、各山３２ａを他方向から見たときに見える側の各山３２ａの他方の斜面（山３２ａの図示左側の斜面）を連続させたものに第２素材画像２０を表したものである。そして、表示具本体３１の波面３２に印字等により表される合成画像４０では、第１素材画像の成分１３と第２素材画像の成分２３が交互に連結されている。なお、合成画像４０の周囲は余白部分４１である。
【００１２】
以下、図柄表示具３０を製造する方法を説明する。
図１に示すように、本発明の実施の形態に係る図柄表示具を実施する装置は、コンピュータシステム１、コンピュータシステム１で制御されるインクジェットプリンタ７を備えている。コンピュータシステム１は、演算部２、演算部２で制御される入力手段３、メモリ部４、表示部５および入出力部６を備えている。入力手段３はコンピュータシステム１で形成する図形のデータ等を入力し、メモリ部４は図２のフローチャートを実行するプログラム、データ等を記憶している。表示部５は演算部２で作図する図形等を表示する。入出力部６はコンピュータシステム１から他の機器に作図した図柄等のデータを送り、また、他の機器からのデータを受け取る。なお、コンピュータシステム１は、例えばパソコンでもよい。
【００１３】
図１に示すコンピュータシステム１により、図２に示すフローチャートに従って作図する。
まず、２個の素材画像を作成する（ステップＳ１）。この例が図３に示されている。図３（ａ）は第１素材画像１０を示す。第１素材画像１０の周囲は余白部分１１である。図３（ｂ）は第２素材画像２０を示す。第２素材画像２０の周囲は余白部分２１である。
図３（ｄ）に示すように、図柄表示具３０を構成する表示具本体３１の図示上面となる波面３２には、山３２ａと谷３２ｂが所定のピッチ（幅）３２ｃで形成されている。なお、表示具本体３１の図示下面はライナー面３３である。
つぎに、第１および第２素材画像１０、２０を前記ピッチ３２ｃで分割する（ステップＳ２）。図３（ａ）では、破線で切断した部分１２が第１素材画像１０を上述のように分割した部分であり、図３（ｂ）では、破線で切断した部分２２が第２素材画像２０を上述のように分割した部分である。
つぎに、分割された画像の幅を２分の１に縮小し（ステップＳ３）。縮小して得られた縮小画像を合成する（ステップＳ４）。図３（ｃ）では、合成画像４０中の細長い第１素材画像１０の成分（縮小画像）１３が切断した部分１２を上述のように縮小したものに相当し、合成画像４０中の細長い第２素材画像２０の成分（縮小画像）２３が切断した部分２２を上述のように縮小したものに相当する。そして、合成画像４０では、第１素材画像１０の成分１３と第２素材画像２０の成分２３が交互に連結されている。
【００１４】
つぎに、合成画像４０を波面３２にインクジェットプリンタ７（図１参照）で印字等により表す。その際、図３（ｃ）（ｄ）に示すように、合成画像４０の第１素材画像１０の成分１３を各山３２ａの図示右側の斜面に印字等により表し、合成画像４０の第２素材画像２０の成分２３を各山３２ａの図示左側の斜面に印字等により表す。このようにして、片面ダンボールを表示具本体３１とする図柄表示具３０を製造することができる。
【００１５】
この図柄表示具３０の波面３２を見る方向を前記一方向から前記他方向に順に変えることにより、見る方向（図３（ｄ）の角度θに相当する。）を変えて、図柄を構成する第１素材画像１０および第２素材画像２０を順次見ることができる。表示具本体３１の波面３２を見る方向を前記一方向から前記他方向に順に変えることにより、図柄の第１素材画像１０および第２素材画像２０を順に見ることができる。また、これにより、図柄が立体的に見えるようにすることもできる。
【００１６】
図４に示すように、図柄表示具３０を看板として使用することができる。この場合、図柄表示具３０の波面３２の山３２ａと谷３２ｂは縦方向に形成されている。このため、図柄表示具３０の前を通過する人は、通過するにつれて図柄表示具３０の各部分を見る方向が変わるので、図柄表示具３０に表示された図柄が変化するように見える。
【００１７】
図５に示す図柄表示装置５０は、表示具本体３１を光透過性のものにした図柄表示具３０を光源を備えた柱状体５１の側面５２に添付して固定したものである。この場合も、図柄表示具３０の波面３２の山３２ａと谷３２ｂは縦方向に形成されている。このため、図柄表示装置５０の前を通過する人は、通過するにつれて図柄表示装置５０の各部分を見る方向が変わるので、図柄表示装置５０に表示された図柄が変化するように見える。さらに、柱状体５１が発光源となり、光透過性の表示具本体３１をこの発光源から出る光が透過するので、図柄表示装置５０が内部光源を有することになる。
【００１８】
図６に示す図柄表示装置６０は、図柄表示具３０と同様の図柄表示具３０ａを無端帯状体状に形成し、この無端帯状体状の図柄表示具３０ａをその波面３２が外面になるように駆動輪６１および従動輪６２に掛けて無限軌道状に駆動するようにしたものである。このため、駆動輪６１が矢印６１ｘの方向に回転すると、図柄表示具３０ａが矢印３０ｘの方向に回転する。また、この場合も、波面３２の山３２ａと谷３２ｂは縦方向に形成されている。このため、図柄表示具３０ａが矢印３０ｘの方向に回転すると、人が図柄表示具３０ａの各部分を見る方向が変化するので、図柄表示具３０ａに記載された図柄が変化するように見える。
【００１９】
なお、上記実施の形態では、表示具本体３１は片面ダンボール製であるが、これに限定されず、波面を有する合成樹脂板製等でもよい。
また、波面の山と谷との間の斜面は、表示具本体３１の山３２ａの斜面のように湾曲しているのものに限定されず、例えば平面状の斜面でもよい。
また、インクジェトプリンタ７が使用されているが、これに限らず表示具本体３１の波面３２に図柄を表すことができるであればよい。
【図面の簡単な説明】
【００２０】
【図１】本発明の実施の形態に係る図柄表示具を製造する装置のブロック図である。
【図２】前記図柄表示具を製造する方法のフローチャートである。
【図３】前記図柄表示具を製造する方法を示す説明図である。
【図４】前記図柄表示具を看板に使用した場合の説明図である。
【図５】前記図柄表示具を使用した図柄表示装置の一例である。
【図６】前記図柄表示具を使用した図柄表示装置の他の例である。
【符号の説明】
【００２１】
１  コンピュータシステム
１０  第１素材画像
１２  切断した部分
１３  第１素材画像の成分
２０  第２素材画像
２２  切断した部分
２３  第２素材画像の成分
３０、３０ａ  図柄表示具
３１  表示具本体
３２  波面
３２ａ  山
４０  合成画像
５０  図柄表示装置
５１  柱状体（光源を備えた物）
５２  側面
６０  図柄表示装置
６１  駆動輪（駆動手段）
【図１】
2005208119.tif 000003
【図２】
2005208119.tif 000004
【図４】
2005208119.tif 000005
【図５】
2005208119.tif 000006
【図６】
2005208119.tif 000007
【図３】
2005208119.tif 000008